(57)【要約】【課題】ふとん圧縮袋のような密閉手段を備えているものに限らず、広く袋一般に適用可能で、脱気作業時に収納物が吸引機具のホースの吸入口を閉塞するおそれがなく、脱気終了後にホースを引き抜くと同時に開口部が自動的に閉塞されるために空気流入のおそれがない、袋内脱気用アダプターを提供することを課題とする。【解決手段】吸引機具のホースに接続されるホースアダプター１と、脱気をする袋の任意の個所に固定されて前記ホースアダプター１に係合される閉止具２とから成り、前記袋内に臨む前記ホースアダプター１又は前記閉止具２は、その前記袋内に臨む部分に１つの主吸入口５と少なくとも１つの副吸入口５ａとを備え、前記閉止具２における閉止手段は、前記閉止具２に前記ホースアダプター１を係合させることによって前記閉止具２を通しての通気を可能にし、その係合状態を解除することによって前記閉止具２を通しての通気を遮断することを特徴とする。【選択図】図２
2008188290.tif 000002
【特許請求の範囲】
【請求項１】
電気掃除機、手動ポンプその他の吸引機具のホースに接続されるホースアダプターと、脱気をする袋の任意の個所に固定されて前記ホースアダプターに係合される閉止具とから成り、前記袋内に臨む前記ホースアダプター又は前記閉止具は、その前記袋内に臨む部分に１つの主吸入口と少なくとも１つの副吸入口とを備え、前記閉止具における閉止手段は、前記閉止具に前記ホースアダプターを係合させることによって前記閉止具を通しての通気を可能にし、その係合状態を解除することによって前記閉止具を通しての通気を遮断することを特徴とする袋内脱気用アダプター。
【請求項２】
前記閉止具は、袋に固定される台座と、前記台座に被着されるカバーと、前記台座と前記カバーとの間に挾入される樹脂シートとから成っていて、前記台座と前記カバーには、互いに連通して前記ホースアダプターの先端係合部の挿通が可能な挿通孔が形成され、前記樹脂シートの前記挿通孔対応部には、前記先端係合部を押し込むことによって開いて前記先端係合部の挿通を可能にする切り込みが入れられ、前記先端係合部の袋内挿入部分には、前記１つの主吸入口と共に前記少なくとも１つの副吸入口が開設されることを特徴とする請求項１に記載の袋内脱気用アダプター。
【請求項３】
前記ホースアダプターのホース接続部は円筒形であり、前記先端係合部は前記接続部を圧潰した状態にて断面を長方形状としたものであり、また、前記閉止具の台座とカバーに形成される挿通孔は、前記挿入部に対応する横長孔である請求項２に記載の袋内脱気用アダプター。
【請求項４】
前記先端係合部は断面円形であり、前記閉止具の台座とカバーに形成される挿通孔は、前記先端係合部の径に対応する円形である請求項２に記載の袋内脱気用アダプター。
【請求項５】
前記樹脂シートの切り込みは、クロスする複数本の切り込みとされる請求項４に記載の袋内脱気用アダプター。
【請求項６】
前記樹脂シートは、複数枚重合される請求項２乃至５のいずれかに記載の袋内脱気用アダプター。
【請求項７】
前記閉止具は、底面に前記１つの主吸入口を設けると共に、袋内に位置することになる下半部に前記少なくとも１つの副吸入口を設けた筒状の台座と、前記台座に被着される前記ホースアダプターの先端係合部が嵌入可能な上面開口を有するカバーと、前記台座内に収装される上面に閉止板を備えたスプリングとから成っていて、前記カバーの前記上面開口の周縁部裏面にＯリングが配備されてこれに前記閉止板が接圧可能にされ、また、前記先端係合部の前記上面開口内への嵌入部分の側面に通気孔が形成されることを特徴とする請求項１に記載の袋内脱気用アダプター。
【請求項８】
前記閉止具は、底面に前記１つの主吸入口を設けると共に、袋内に位置することになる下半部に前記少なくとも１つの副吸入口を設けた筒状の台座と、前記台座に被着される前記ホースアダプターの先端係合部が嵌入可能な上面開口を有するカバーと、前記台座内に収装される上面に閉止板を備えたスプリングとから成っていて、前記閉止板の周側面にＯリングが嵌着され、前記Ｏリングは前記上面開口の周縁部裏面に接圧可能にされ、また、前記先端係合部の前記上面開口内への嵌入部分の側面に通気孔が形成されることを特徴とする請求項１に記載の袋内脱気用アダプター。
【請求項９】
前記Ｏリングが接圧する前記上面開口の周縁部裏面はテーパ面である請求項８に記載の袋内脱気用アダプター。
【請求項１０】
前記カバーの下端及び／又は前記台座の中間部にフランジが形成される請求項７乃至９のいずれかに記載の袋内脱気用アダプター。
【請求項１１】
前記ホースアダプターに、外気吸入用の安全開口を設けた請求項１に記載の袋内脱気用アダプター。
【発明の詳細な説明】
【技術分野】
【０００１】
本発明は袋内脱気用アダプター、より詳細には、使用時に連結される２つの部品から成っていて、嵩減少のために、一般家庭用の電気掃除機や手動ポンプ等の吸引機具を用いてふとん圧縮袋やゴミ袋等の袋内の空気を吸出す操作を行なうに当たり、一方の部品を吸引機具のホース先端側に取り付け、他方の部品を袋側に取り付けて袋内の脱気操作を行なう袋内脱気用アダプターに関するものである。
【背景技術】
【０００２】
収納時における嵩を減らすため、ふとんや衣類を密閉可能な圧縮袋内に入れた後、圧縮袋を密閉して袋内の空気を抜くことが行なわれている。この脱気作業は、電気掃除機等の吸引機具のホースの先端を袋内に挿入することにより行なわれる。また、ゴミ収集所に出されるゴミ袋の嵩を減少させるために、袋内の脱気を行うこともある。
【０００３】
例えば、ふとん圧縮袋２３の脱気を行なう場合は、ふとん２４を収納した後、ふとん圧縮袋２３自体が備えるファスナー２５等の密閉手段を介して一旦密閉する。そして、ファスナー２５を一部開いて電機掃除機２２のホース２１先端部を差し入れ、電気掃除機２２のスイッチを入れて袋２３内を脱気し、脱気終了後ファスナー２５を閉じる（図６参照）。
【０００４】
この方法の場合、脱気終了後、ホース２１を引き抜いてファスナー２５を閉じる間に、袋２３内に空気が入り込むおそれがある。また、脱気作業時に、袋２３内のふとん２４がホース２１の吸入口に吸引されて吸入口を塞ぐおそれがある。
【０００５】
また、ゴミ袋等のように、ファスナー２５等の特別な密閉手段を備えていない袋について脱気する場合は、開口部を絞ってホース２１を差し入れ、脱気後直ちに開口部を集束して結ばなければならないが、その間に空気が入り込むおそれがあり、また、上記ふとん圧縮袋２３の場合と同様に、収納物がホース２１の吸入口を塞ぐという問題が起こる。
【０００６】
【特許文献１】特開平８−１９８２７４号公報
【特許文献２】実開昭６３−１１１４８０号公報
【特許文献３】実開平７−８３９号公報
【発明の開示】
【発明が解決しようとする課題】
【０００７】
上述したように、従来、嵩減少のために、ふとん圧縮袋やゴミ袋から脱気を行なう場合、脱気終了後に空気が流入するおそれがあり、また、脱気時に吸引機具のホースの吸入口が袋内収納物によって閉鎖されるおそれがあるといった問題があった。そこで、本発明はそのような問題のない、即ち、ふとん圧縮袋のような密閉手段を備えているものに限らず、広く袋一般に適用可能で、脱気作業時に収納物が吸引機具のホースの吸入口を閉塞するおそれがなく、脱気終了後にホースを引き抜くと同時に開口部が自動的に閉塞されるために空気流入のおそれがない、袋内脱気用アダプターを提供することを課題とする。
【課題を解決するための手段】
【０００８】
上記課題を解決するための本発明に係る袋内脱気用アダプターは、電気掃除機、手動ポンプその他の吸引機具のホースに接続されるホースアダプターと、脱気をする袋の任意の個所に固定されて前記ホースアダプターに係合される閉止具とから成り、前記袋内に臨む前記ホースアダプター又は前記閉止具は、その前記袋内に臨む部分に１つの主吸入口と少なくとも１つの副吸入口とを備え、前記閉止具における閉止手段は、前記閉止具に前記ホースアダプターを係合させることによって前記閉止具を通しての通気を可能にし、その係合状態を解除することによって前記閉止具を通しての通気を遮断することを特徴とする。
【０００９】
本発明の一実施形態においては、前記閉止具は、袋に固定される台座と、前記閉止具は、袋に固定される台座と、前記台座に被着されるカバーと、前記台座と前記カバーとの間に挾入される樹脂シートとから成っていて、前記台座と前記カバーには、互いに連通して前記ホースアダプターの先端係合部の挿通が可能な挿通孔が形成され、前記樹脂シートの前記挿通孔対応部には、前記先端係合部を押し込むことによって開いて前記先端係合部の挿通を可能にする切り込みが入れられ、前記先端係合部の袋内挿入部分には、前記１つの主吸入口と共に前記少なくとも１つの副吸入口が開設されることを特徴とする。
【００１０】
本発明の他の実施形態においては、前記閉止具は、底面に前記１つの主吸入口を設けると共に、袋内に位置することになる下半部に前記少なくとも１つの副吸入口を設けた筒状の台座と、前記台座に被着される前記ホースアダプターの先端係合部が嵌入可能な上面開口を有するカバーと、前記台座内に収装される上面に閉止板を備えたスプリングとから成っていて、前記カバーの前記上面開口の周縁部裏面にＯリングが配備されてこれに前記閉止板が接圧可能にされ、また、前記先端係合部の前記上面開口内への嵌入部分の側面に通気孔が形成されることを特徴とする。
【００１１】
本発明の更に他の実施形態においては、前記閉止具は、底面に前記１つの主吸入口を設けると共に、袋内に位置することになる下半部に前記少なくとも１つの副吸入口を設けた筒状の台座と、前記台座に被着される前記ホースアダプターの先端係合部が嵌入可能な上面開口を有するカバーと、前記台座内に収装される上面に閉止板を備えたスプリングとから成っていて、前記閉止板の周側面にＯリングが嵌着され、前記Ｏリングは前記上面開口の周縁部裏面に接圧可能にされ、また、前記先端係合部の前記上面開口内への嵌入部分の側面に通気孔が形成されることを特徴とする。この場合、好ましくは、前記Ｏリングが接圧する前記上面開口の周縁部裏面はテーパ面とされる。
【発明の効果】
【００１２】
本発明は上記構成であるので、ふとん圧縮袋のような密閉手段を備えている大型のものに限らず、種々の大きさの袋に広く適用可能で、ホースアダプター又は閉止具の袋内に臨む部分に、主吸入口と共に副吸入口を設けてあるので、脱気作業時に収納物がホースアダプター等の吸入口を閉塞するおそれがなく、脱気終了後にホースアダプターを引き抜くと同時に、閉止具が自動的に閉塞状態となるため、空気流入のおそれがないという効果がある。
【発明を実施するための最良の形態】
【００１３】
本発明を実施するための最良の形態について、添付図面に依拠して説明する。本発明に係る袋内脱気用アダプターは、例えば電気掃除機のホース２１の先端に取り付けられるホースアダプター１と、袋２３の任意の個所に固定される閉止具２とから成る。
【００１４】
先ず、図１乃至図３に示される第１の実施形態について説明する。そこに示されているのは、比較的中型又は小型の袋用の脱気用アダプターである。その場合のホースアダプター１は、その一半部がホース２１の先端に接続可能な接続部３であって、他半部が先端係合部４であり、先端係合部４の袋内挿入部には、主吸入口５の外に、少なくとも１つの副吸入口５ａが開設される。図示した例では、副吸入口５ａは、一側面から他側面に抜ける大きなもの１つと、小さなもの２つが形成されている。好ましくは、使用時に袋２３外に位置することになる接続部３に、外気吸入用の安全開口６を設ける。図１及び図２に示す実施形態においては、ホースアダプター１の接続部３は円筒形であり、先端係合部４は接続部３を圧潰した状態にて断面を長方形状としたものとされている。
【００１５】
閉止具２は、袋２３に固定される台座７と、台座７に被着されるカバー８と、台座７とカバー８との間に挾入される樹脂シート９とから成っていて、台座７とカバー８には、互いに連通してホースアダプター１の先端係合部４の挿通が可能な挿通孔１０、１１が形成される。図１及び図２に示される実施形態においては、閉止具２の台座７とカバー８に形成される挿通孔１０、１１は、挿入部４の形状に対応してその挿通が可能な横長孔とされる。
【００１６】
カバー８は台座７に対して嵌脱可能にし、あるいは、ネジ付け可能にし、カバー８を外して樹脂シート９を交換できるようにすることができる。台座７は、予め袋２３に固定しておいてもよいし、後から固定することとしてもよい。その固定には両面テープを用いることができ、あるいは、予め台座に粘着材を塗布して剥離紙を被装しておき、使用時に剥離紙を剥して粘着するようにしてもよい。台座７は、袋２３に予め形成した穴を覆うようにして固定し、あるいは、台座７を固定した後、挿通孔１０、１１を通して袋２３に穿孔する。
【００１７】
樹脂シート９は例えばシリコーンゴム製シートであり、台座７及びカバー８の挿通孔１０、１１から覗ける部分に、切り込み１２が刻設される。挿通孔１０、１１が横長孔の場合は、切り込み１２は孔に沿った１本とされる。樹脂シート９は、比較的厚手のもの１枚の場合と、薄手のものを複数枚積層する場合とがあり、積層する場合は、上下で切り込み１２が重なるようにされる。但し、後述するように、挿通孔１０、１１が円形の場合は、上下で切り込み１２がクロスするようにしてもよい。
【００１８】
図３に示す第２の実施形態は、主に蛇腹式の手動ポンプ等の簡易吸引機具を用いる場合の脱気用アダプターである。そこにおいては、ホースアダプター１は全体が断面円形で、台座７及びカバー８の挿通孔１０、１１も円形とされている。図示した例では、ホースアダプター１は、ホースの抜け止め等のために、段付きのものとされている。この実施形態の場合は、樹脂シート９の切り込み１２を、クロスする複数の線とすることができる。
【００１９】
上記２つの実施形態においては、ふとんやゴミ等を詰めた袋２３は、ファスナー等の密閉手段がある場合はそれを利用し、それがない場合は開口部をまとめて結ぶ等の方法で開口部を閉じて、袋２３を密封する。そして、閉止具２が予め袋２３に固定されていない場合は、それを袋２３の任意の個所に粘着する。もちろん閉止具２は、ふとん等を収納する前に袋２３に定着することとしてもよい。
【００２０】
次いで、ホースアダプター１の先端係合部４をカバー８の挿通孔１０から挿入して押し込み、樹脂シート９の切り込み１２を突き抜けさせ、更に台座７の挿通孔１１を通してその先端を袋２３に突き当てる。予め袋２３に穴を開けてある場合は、その穴を通して先端係合部４を袋２３内に臨ませ、予め穴を開けていない場合は、更に押し込んで袋２３を突き破ることにより、先端係合部４の先端部を袋２３内に臨ませる。
【００２１】
かくして電気掃除機のスイッチを入れ、あるいは、手動ポンプを操作すると、袋２３内の空気が先端係合部４の主吸入口５及び副吸入口５ａから吸い出されていく。その際、先端係合部４は主吸入口５の外に少なくとも１つの副吸入口５ａを有するため、袋２３内の収納物が吸引されてその１つを閉塞したとしても、他の吸入口からの吸入が継続するので、脱気作業に何らの支障も起きない。仮に吸入量が減ったとしても、ホースアダプター１の接続部３に安全開口６を設けておけば、そこから外気が吸入されるので、電気掃除機等に過度の負荷がかからない。
【００２２】
脱気作業終了後、ホースアダプター１を閉止具２の挿通孔１０、１１から引き抜くが、その引き抜きと同時に、押し開かれていた樹脂シート９の切り込み１２がその復元力によって閉じ、袋２３内の気密性を保持する。樹脂シート９が積層されている場合は、その気密性保持がより確実なものとなる。なお、脱気終了後カバー８の挿通孔１１にテープを貼って閉塞すれば、気密性はより完全なものとなる。
【００２３】
次に、図４に示す第３の実施形態について説明する。この実施形態は、ふとん圧縮袋のような大型の袋用の脱気アダプターであり、この場合は、閉止具２は、筒状の台座７ａと、台座７ａに被着されるカバー８ａと、台座７ａ内に収装される復帰スプリング１４とから成り、ホースアダプター１ａは、その先端係合部４ａに通気孔１３を形成したものとされる。
【００２４】
カバー８ａの上面には、ホースアダプター１ａの先端係合部４ａが嵌入可能な上面開口１５が形成され、また、上面開口１５の周縁部裏面にＯリング１６が配設される。カバー８ａの下端には、外方に張出すフランジ１７が形成される。このフランジ１７に代え、あるいは、それと共に、台座７ａの外側面中間部にフランジが形成されることもある。
【００２５】
復帰スプリング１４は、例えば下方に拡がるテーパ状のコイルバネで、その上端部に閉止板１８が固定され、下端部は、台座７ａの内底面に形成された凹陥部１９内に収められる。凹陥部１９には１つの主吸入口２０が形成され、また、台座７ａの下半部、即ち、袋２３内に位置することになる部分に、少なくとも１つの副吸入口２０ａが形成される。
【００２６】
この実施形態の場合、閉止具２は通例予め袋２３に固定されるが、後付けする場合は、フランジ１７の裏面を両面テープを介する等して、袋２３の穴縁部に固定する。この固定状態において上面開口１５は、閉止板１８が復帰スプリング１４からの押上力を受けてＯリング１６に圧接し続けることにより、常時閉塞状態となる（図４において実線で示す状態）。
【００２７】
脱気作業に際しては、ホースアダプター１ａの先端係合部４ａを上面開口１５内に挿入し、閉止板１８に当接後更に復帰スプリング１４の押上力に抗して押し込むと、閉止板１８は、台座７ａの内底面に近接する位置（図４において仮想線で示す位置）まで押し下げられる。かくして袋２３内とホースアダプター１ａ内とが、主吸入口２０及び副吸入口２０ａと通気孔１３とを介して連通するので、ホースアダプター１ａが接続される図示せぬ吸引機具による袋２３内脱気が可能となる。
【００２８】
そして、脱気作業終了後にホースアダプター１ａを上面開口１５から引き抜くと、復帰スプリング１４の作用で閉止板１８が上昇して、上面開口１５を自動閉塞するので、脱気作業後に袋２３内に空気が流入することはない。なお、念のために、上面開口１５を粘着テープで塞いだり、上面開口閉塞用の栓を別途用意して塞ぐこととしてもよい。
【００２９】
主吸入口２０の外に少なくとも１つの副吸入口２０ａを設けることにより、袋内収納物によってその一部が塞がれても、残りの吸入口２０，２０ａによって吸入が続くので、作業に支障が生じないこと、並びに、ホースアダプター１ａに安全開口を設けることにより吸引機具に過剰の負荷をかけないで済むことは、上記実施形態の場合と同じである。
【００３０】
図５に示す第４の実施形態は、上記第３の実施形態におけるＯリング１６の取付位置を、カバー８ａの方にではなく閉止板１８ａの方に変えたものである。即ち、この場合のＯリング１６は、閉止板１８ａの周側面に嵌着される。そして、Ｏリング１６が当接することになる上面開口１５の周縁部裏面１５ａは、好ましくは、テーパ面とされる。
【００３１】
この第４の実施形態の場合の作用は、先端係合部４ａの上面開口１５内進入に伴なってＯリング１６が周縁部裏面１５ａから離れて通気可能状態となり、先端係合部４ａの上面開口１５からの抜き取りに伴なってＯリング１６が周縁部裏面１５ａに圧接して通気遮断状態となること以外、上記第３の実施形態の場合と同じである。なお、第４の実施形態の方が、第３の実施形態の場合よりも製造容易で、Ｏリング１６の接点等の精度が増す。
【００３２】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３３】
【図１】本発明に係る袋内脱気用アダプターの構成を示す分解斜視図である。
【図２】本発明に係る袋内脱気用アダプターの使用状態を示す図である。
【図３】本発明に係る袋内脱気用アダプターの他の構成を示す図である。
【図４】本発明に係る袋内脱気用アダプターの更に他の構成を示す図である。
【図５】図４に示す実施形態の一部を変更した構成を示す図である。
【図６】従来の袋内脱気方法を示す図である。
【符号の説明】
【００３４】
１、１ａ  ホースアダプター
２          閉止具
３          接続部
４、４ａ    先端係合部
５          主吸入口
５ａ        副吸入口
６          安全開口
７、７ａ    台座
８、８ａ    カバー
９          樹脂シート
１０、１１    挿通孔
１２          切り込み
１３          通気孔
１４          スプリング
１５          上面開口
１６          Ｏリング
１７          フランジ
１８          閉止板
１９          凹陥部
２０          主吸入口
２０ａ        副吸入口
２１          ホース
２３          袋
【図１】
2008188290.tif 000003
【図２】
2008188290.tif 000004
【図３】
2008188290.tif 000005
【図４】
2008188290.tif 000006
【図５】
2008188290.tif 000007
【図６】
2008188290.tif 000008